(57)【要約】【課題】押圧体が耐火物プレートの側面と耐火物プレートホルダーの内周面との間から容易に外すことができるスライドゲート用開閉プレートを提供することである。【解決手段】本考案のスライドゲート用開閉プレート１は、耐火物プレート２と、耐火物プレート２を側面２４から加圧して保持する耐火物プレートホルダー３と、耐火物プレート２の側面２４と耐火物プレートホルダー３の内周面３１との間に嵌挿される略楔形の部材であって、側面周方向に沿った押し込み方向Ａに押し込まれることで耐火物プレート２を耐火物プレートホルダー３の内周面３１に押圧する押圧体４１、４２と、を有し、耐火物プレートホルダー３の内周面３１は、押圧体４１、４２と接する面の押し込む方向Ａに垂直方向の幅が押し込み方向Ａに行くにつれ狭くなる面であるテーパ内周面３１１を有することを特徴とする。【選択図】図１
0003149564.tif 000002
【実用新案登録請求の範囲】
【請求項１】
溶鋼を貯留した容器の底部に設けられ、前記溶鋼の出鋼量を調整可能とする溶湯通過孔を有する耐火物プレートと、
前記耐火物プレートを側面から加圧して保持する耐火物プレートホルダーと、
前記耐火物プレートの側面と前記耐火物プレートホルダーの内周面との間に嵌挿される略楔形の部材であって、側面周方向に沿った押し込み方向に押し込まれることで前記耐火物プレートを前記耐火物プレートホルダーの内周面に押圧する押圧体と、を有し、
前記耐火物プレートホルダーの前記内周面は、前記押圧体と接する面の前記押し込む方向に垂直方向の幅が前記押し込み方向に行くにつれ狭くなる面であるテーパ内周面を有することを特徴とするスライドゲート用開閉プレート。
【請求項２】
前記テーパ内周面は、前記押圧体と対向する内周面の一部である請求項１に記載のスライドゲート用開閉プレート。
【考案の詳細な説明】
【技術分野】
【０００１】
本考案は、スライドゲート用開閉プレートに関し、特に溶鋼を貯留した容器の底部に設けられるスライドゲート用開閉プレートに関する。
【背景技術】
【０００２】
溶鋼などの溶融金属を貯留した容器の底部の出鋼口に、溶鋼の出鋼量を調整するスライドゲート用開閉プレートが設けられることがある。このスライドゲート用開閉プレートは、スライド移動し、耐火物プレートホルダーに保持された耐火物プレートの溶湯通過孔が出鋼口と連通して、容器に貯留されていた溶鋼が出鋼される。溶湯通過孔と出鋼口とが連通していないときは、耐火物プレートで溶鋼の出鋼が止められている状態となる。よって、耐火物プレートとして、溶鋼の高温に耐え得る素材、例えばセラミックスなどが用いられる。しかし、耐火物プレートは消耗品である。そこで、スライドゲート用開閉プレートのうち耐火物プレートは、一般に交換可能になっている（特許文献１）。
【０００３】
また、図５に示されるようなスライドゲート用開閉プレート９を用いる場合もある。このスライドゲート用開閉プレート９の耐火物プレート９１は、溶鋼が通過する溶湯通過孔９１１を有し、側面が帯状の枠体９２で拘束されており、枠体９２と一緒に耐火物プレートホルダー９３に保持されている。そして、耐火物プレート９１は、側面９１２と耐火物プレートホルダー９３の内周面９３１との間に押し込まれる押圧体９４、９５によって、耐火物プレートホルダー９３に保持される。押圧体９４、９５は略楔状の挿入部９４１、９５１を有し、挿入部９４１、９５１が耐火物プレートホルダー９３の内周面９３１に沿って、押し込まれる方向に垂直方向における幅の広い方から幅の狭い方に向かってねじ状のシャフト（図示略）によって押圧され、耐火物プレート９１の側面９１２と耐火物プレートホルダー９３内周面９３１との間に押し込まれる。
【先行技術文献】
【特許文献】
【０００４】
【特許文献１】特開平１０−２５８３５３号公報
【考案の概要】
【考案が解決しようとする課題】
【０００５】
ところで、耐火物プレート９１が耐火物プレートホルダー９３にしっかりと保持されるように、押圧体９４、９５が耐火物プレート９１の側面９１２と耐火物プレートホルダー９３の内周面９３１との間に押し込まれている。そのため、高温に晒される耐火物プレート９１を保持している耐火物プレートホルダー９３や押圧体９４、９５も高温になり膨張し、冷却して収縮し、を繰り返すうちに、押圧体９４、９５が耐火物プレート９１の側面９１２と耐火物プレートホルダー９３の内周面９３１との間に食い込み、簡単に抜けない場合がある。そのような状態では、耐火物プレート９１を交換しようとシャフトを緩めようとしても緩められず、押圧体９４、９５が耐火物プレート９１の側面９１２と耐火物プレートホルダー９３の内周面９３１との間から抜けず、耐火物プレート９１が簡単に取り出せないという問題が生じる場合がある。
【０００６】
本考案は、上記課題に鑑みてなされたもので、交換可能な耐火物プレートを耐火物プレートホルダーに押圧体によって保持するスライドゲート用開閉プレートにおいて、押圧体が耐火物プレートの側面と耐火物プレートホルダーの内周面との間から容易に外すことができるスライドゲート用開閉プレートを提供することを解決すべき課題とする。
【課題を解決するための手段】
【０００７】
上記課題を解決するための請求項１に係る考案の構成上の特徴は、溶鋼を貯留した容器の底部に設けられ、前記溶鋼の出鋼量を調整可能とする溶湯通過孔を有する耐火物プレートと、
前記耐火物プレートを側面から加圧して保持する耐火物プレートホルダーと、
前記耐火物プレートの側面と前記耐火物プレートホルダーの内周面との間に嵌挿される略楔形の部材であって、側面周方向に沿った押し込み方向に押し込まれることで前記耐火物プレートを前記耐火物プレートホルダーの内周面に押圧する押圧体と、を有し、
前記耐火物プレートホルダーの前記内周面は、前記押圧体と接する面の前記押し込む方向に垂直方向の幅が前記押し込み方向に行くにつれ狭くなる面であるテーパ内周面を有することである。
【０００８】
また請求項２に係る考案の構成上の特徴は、請求項１において、前記テーパ内周面は、前記押圧体と対向する側面の一部であることである。
【考案の効果】
【０００９】
請求項１に係る考案においては、耐火物プレートを耐火物プレートホルダーの内周面に押圧する押圧体と接する耐火物プレートホルダーの内周面が、押圧体が押し込まれる押し込み方向に対して傾斜しているテーパ内周面を有する。テーパ内周面は、押し込み方向に対して垂直な耐火物プレートの幅方向の幅が押し込み方向に行くにつれて狭くなるように傾斜している。このようにすることで、耐火物プレートの側面と耐火物プレートホルダーのテーパ内周面との間に嵌挿されている押圧体は、熱膨張と冷却による収縮とが繰り返されても、側面と内周面との間に食い込みにくくなる。食い込んだとしても、押圧体を抜こうとする方向（押し込み方向の逆方向）に向かって、耐火物プレートホルダーのテーパ内周面が拡がる形状であるため、押圧体とテーパ内周面との摩擦が押圧体を抜く方向に向かって連続して均一に接触して発生する摩擦よりはるかに減少するため、押圧体を嵌挿状態から抜きやすい。
【００１０】
請求項２に係る考案においては、テーパ状となる耐火物プレートホルダーのテーパ内周面が押圧体と対向する内周面の一部に形成することで、押圧体が耐火物プレートの側面と耐火物プレートホルダーの内周面との間に食い込みにくくなる。食い込んだとしても、内周面が押し込み方向に平行な場合に比べて押圧体をはるかに抜きやすい。テーパ内周面を内周面の一部とすることで、全体をテーパ状とする場合に比べて設計変更が少なくてすむ。
【図面の簡単な説明】
【００１１】
【図１】本実施形態のスライドゲート用開閉プレート１の構成を示す説明図である。
【図２】本実施形態のスライドゲート用開閉プレート１の要部拡大図である。
【図３】本実施形態のスライドゲート用開閉プレート１を用いたスライド式ゲート１４の構成を示す説明図である。
【図４】本実施形態のスライドゲート用開閉プレート１の要部拡大図に従来技術のスライドゲート用開閉プレート１の一部を破線で示した説明図である。
【図５】従来技術のスライドゲート用開閉プレート９の構成を示す説明図である。
【考案を実施するための形態】
【００１２】
本考案の代表的な実施形態を図１〜図４を参照して説明する。本実施形態に係るスライドゲート用開閉プレート１は、溶融金属の溶鋼が貯留された容器の底部の出鋼口のスライドゲートに用いられる。
【００１３】
（実施形態）
本実施形態のスライドゲート用開閉プレート１は、図１に示されるように、耐火物プレート２と、耐火物プレートホルダー３と、押圧体４１、４２とを有する。
【００１４】
耐火物プレート２は、多角形の所定の厚みをもつセラミックス製の板状部材であり、溶鋼が表面２１側から裏面側に通過する溶湯通過孔２２が中央寄りに形成されている。そして、耐火物プレート２は、耐火物プレート２と同じ程度の厚みの帯状の金属製の枠体２３に嵌められている。枠体２３は、耐火物プレート２より厚みが小さいのが好ましい。これは、耐火物プレート２及び枠体２３の両方に許容範囲があり、枠体２３が耐火物プレートよりはみ出ないためである。更に、耐火物プレート２は、後述する耐火物プレートホルダ−３の内周面３１と対向する側面２４を有する。なお、以下説明の簡略のため、特に記載しない限り、耐火物プレート２と記載した場合は枠体２３に嵌っている耐火物プレート２を示す。
【００１５】
耐火物プレートホルダー３は、耐火物プレート２を側面２３から保持する耐火物プレート２の表面２１側が開口した箱状の部材である。耐火物プレートホルダー３は、耐火物プレート２の側面２４と対向する内周面３１と、後述する押圧体４１、４２を外部から後述するシャフト５によって押圧するためのシャフト孔３２とを有する。更に、耐火物プレートホルダー３は後述するスライド用ロッド１７に連結するための連結部３３とを有する。内周面３１は、押圧体４１、４２が押し込まれる押し込み方向（図中、矢印Ａ方向）に沿った側面の、押圧体４１、４２と対向する面の幅が押し込み方向Ａに行くにつれて徐々に狭くなるテーパ内周面３１１を側面の一部に有する。
【００１６】
シャフト孔３２は、押圧体４１、４２のそれぞれを押し込み方向に押し込むためのねじ状のシャフト５が押し込み方向Ａに貫通する孔である。シャフト孔３２は、押し込み方向Ａの途中が外部に開口しており、図２に示されるように、シャフト５と螺合する締結部材３２１が嵌挿される。図１に戻って、連結部３３は、耐火物プレートホルダー３の幅方向中央部分で、シャフト孔３２の形成される側面から押し込み方向の逆方向に突出した形状であり、スライド用ロッド１７と連結するための連結孔３３１が幅方向に貫通するように形成されている。
【００１７】
押圧体４１、４２は、耐火物プレート２の側面２４と耐火物プレートホルダー３の内周面３１との間に嵌挿される略楔形の挿入部４１１、４２１と、挿入部４１１、４２１の幅より幅方向に突出した形状であり挿入部４１１、４２１が側面２４と内周面３１との間に押し込み方向で押し込まれるようにシャフト５が押圧する非挿入部４１２、４２２とを有する。押圧体４１、４２は、耐火物プレート２の側面２４の両側（図１中、左右）にそれぞれ１つ、耐火物プレート２あるいは耐火物プレートホルダー３の幅方向の中心を結んだ線（押し込み方向と平行な線）で線対称に配置される。
【００１８】
スライドゲート用開閉プレート１は、更にシャフト５を有する。シャフト５は、耐火物プレートホルダー３のシャフト孔３２に挿入され、シャフト孔３２途中に嵌挿している締結部材３２１と螺合するねじ状部材である。２つの押圧体４１、４２のそれぞれを別々に押し込み方向に押し込む。
【００１９】
本実施形態のスライドゲート用開閉プレート１は、図３に示されるように、溶融金属の溶鋼が貯留される容器１１の底部１２の出鋼口１３に取り付けられるスライド式ゲート１４に用いられる。
【００２０】
スライド式ゲート１４は、スライドゲート用開閉プレート１と出鋼口１３との間の上部プレート１５と、スライドゲート用開閉プレート１の下方の下部ノズル１６と、スライドゲート用開閉プレート１をスライド移動させるスライド用ロッド１７とを有する。
【００２１】
上部プレート１５は、耐火物プレート２と同様に耐熱性の部材であり、出鋼口１３と連通し、溶鋼が通過する溶湯通過孔が形成されている。
【００２２】
下部ノズル１６は、耐火物プレート２の溶湯通過孔２２と連通し、溶鋼が通過する溶湯通過孔が形成されている。そして、スライドゲート用開閉プレート１と一体的に連結されており、スライド用ロッド１７により、スライド移動する。
【００２３】
図３はスライド式ゲート１４が容器１１の溶鋼を排出してる状態を示しており、スライドゲート用プレート１と下部ノズル１６とが図３の位置から水平方向に移動することで、溶鋼が耐火物プレート２によって塞き止められる。
【００２４】
本実施形態のスライドゲート用開閉プレート１は、押圧体４１、４２と接する耐火物プレートホルダー３の内周面３１が、押圧体４１、４２が押し込まれる押し込み方向Ａに対して傾斜しているテーパ内周面３１１を有する。テーパ内周面３１１は、側面３１の一部、押圧体４１、４２と接する面であり、耐火物プレートホルダー３の幅方向の幅が、押し込み方向Ａで狭くなる。図４は、本実施形態のスライドゲート用開閉プレート１の要部拡大図に、従来技術のスライドゲート用開閉プレート９の一部を破線で追加した図である。図４において、破線Ｂはスライドゲート用開閉プレート９の耐火物プレートホルダー９３の内周面９３１を表しており、破線Ｃは内周面９３１と対向するスライドゲート用開閉プレート９の押圧体９５の側面を表している。図４より、本実施形態のスライドゲート用開閉プレート１のテーパ内周面３１１は、従来に比べて押圧体４１、４２が押し込まれる側面３１の一部が傾斜していることが分かる。
【００２５】
スライドゲート用開閉プレート１は、テーパ内周面３１１が押し込み方向に対して傾斜し、押圧体４１、４２が幅方向に対して垂直な押し込み方向で押し込まれるため、押圧体４１、４２や耐火物プレートホルダー３が熱膨張と冷却による収縮とが繰り返されたとしても、押圧体４１、４２が側面２４とテーパ内周面３１１との間に食い込みにくい。あるいは、押圧体４１、４２が食い込んだとしても、押圧体４１、４２を抜こうとする方向（押し込み方向の逆方向）に対して、テーパ内周面３１１が拡がる形状であるため、押圧体４１、４２とテーパ内周面３１１とに発生する摩擦が、内周面３１が押し込み方向と平行の場合より小さく、押圧体４１、４２を嵌挿状態から抜きやすい。
【００２６】
以上、本考案の好適な実施形態について説明したが、本考案は上記実施形態に限定されるものではない。例えば、テーパ内周面３１１は耐火物プレートホルダー３の側面３１の一部に形成されているが、押圧体４１、４２と対向する側の側面３１の全体をテーパ状にすることもできる。しかし、側面３１の全体をテーパ状にすると耐火物プレート２等、他の部材の形状を変更が必要になることも考えられる。そのため、側面３１の一部、押圧体４１、４２が動く範囲内をテーパ内周面３１１とすることが好ましい。
【符号の説明】
【００２７】
１，９：スライドゲート用開閉プレート、
１１：容器、１２：底部、１３：出鋼口、１４：スライド式ゲート、１５：上部プレート、
１６：下部ノズル、１７：スライド用ロッド、
２，９１：耐火物プレート、２１：表面、２２，９１１：溶湯通過孔、２３，９２：枠体、
２４：側面、
３，９３：耐火物プレートホルダー、３１，９３１：内周面、３２：シャフト孔、
３３：連結部、
４１，４２，９４，９５：押圧体、４１１，４２１，９４１，９５１：挿入部、
４１２，４２２：非挿入部、
５：シャフト。
【図１】
0003149564.tif 000003
【図２】
0003149564.tif 000004
【図３】
0003149564.tif 000005
【図４】
0003149564.tif 000006
【図５】
0003149564.tif 000007